(57)【要約】【課題】複数種類のＣＳＩプロセスが設定された場合において、処理負荷を軽減すると共に、スループット特性の劣化を抑えることができる無線通信システム、基地局装置、ユーザ端末、及び無線通信方法を提供すること。【解決手段】本発明の無線通信方法は、ＣＳＩを測定するためのＣＳＩ−ＲＳを送信する複数の基地局装置と、複数の基地局装置と通信するユーザ端末とを備え、ＳＭＲとＩＭＲの組み合わせであるＣＳＩプロセスが複数設定されている場合に、基地局装置において、サブフレーム番号Ｎ−４以前に遡って一番近いＣＳＩ参照リソースを用いてＣＳＩを求めるＣＳＩプロセスを決定し、ユーザ端末において、基地局装置で決定されたＣＳＩプロセスを判断し、この判断に基づいてＣＳＩのフィードバック処理を行うことを特徴とする。【選択図】図７
2014075676.tif 000002
【特許請求の範囲】
【請求項１】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムであって、
前記基地局装置は、サブフレーム番号よりも時間的に４サブフレーム以前に遡って一番近いチャネル状態情報参照リソースを用いてチャネル状態情報を求めるチャネル状態情報プロセスを決定する決定部を有し、
前記ユーザ端末は、前記基地局装置で決定されたチャネル状態情報プロセスを判断する判断部と、前記判断に基づいてチャネル状態情報のフィードバック処理を行うフィードバック処理部と、を有することを特徴とする無線通信システム。
【請求項２】
前記判断部は、チャネル状態情報プロセスインデックス、チャネル状態情報プロセスの優先度、コンポーネントキャリアインデックス、コンポーネントキャリアインデックスの優先度、レポーティングタイプ、及び／又はチャネル状態情報プロセスに関する情報の優先度に関連づけられたチャネル状態情報プロセスを前記基地局装置で決定されたチャネル状態情報プロセスと判断することを特徴とする請求項１記載の無線通信システム。
【請求項３】
前記基地局装置は、前記決定部で決定したチャネル状態情報プロセスを前記ユーザ端末に通知する通知部を有することを特徴とする請求項１記載の無線通信システム。
【請求項４】
前記通知部は、チャネル状態情報プロセス単位、コンポーネントキャリア単位、及び／又はレポーティングタイプ単位で通知することを特徴とする請求項３記載の無線通信システム。
【請求項５】
前記決定部で決定したチャネル状態情報プロセスをハイヤレイヤシグナリング又はダイナミックシグナリングで前記ユーザ端末に通知することを特徴とする請求項３又は請求項４記載の無線通信システム。
【請求項６】
前記決定部は、前記ユーザ端末から通知された能力情報に基づいて、サブフレーム番号よりも時間的に４サブフレーム以前に遡って一番近いチャネル状態情報参照リソースを用いてチャネル状態情報を求めるチャネル状態情報プロセスを決定することを特徴とする請求項１から請求項５のいずれかに記載の無線通信システム。
【請求項７】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムにおける基地局装置であって、
サブフレーム番号よりも時間的に４サブフレーム以前に遡って一番近いチャネル状態情報参照リソースを用いてチャネル状態情報を求めるチャネル状態情報プロセスを決定する決定部を有することを特徴とする基地局装置。
【請求項８】
前記決定部で決定したチャネル状態情報プロセスを前記ユーザ端末に通知する通知部を有することを特徴とする請求項７記載の基地局装置。
【請求項９】
前記通知部は、チャネル状態情報プロセス単位、コンポーネントキャリア単位、及び／又はレポーティングタイプ単位で通知することを特徴とする請求項８記載の基地局装置。
【請求項１０】
前記決定部で決定したチャネル状態情報プロセスをハイヤレイヤシグナリング又はダイナミックシグナリングで前記ユーザ端末に通知することを特徴とする請求項８又は請求項９記載の基地局装置。
【請求項１１】
前記決定部は、前記ユーザ端末から通知された能力情報に基づいて、サブフレーム番号よりも時間的に４サブフレーム以前に遡って一番近いチャネル状態情報参照リソースを用いてチャネル状態情報を求めるチャネル状態情報プロセスを決定することを特徴とする請求項７から請求項１０のいずれかに記載の基地局装置。
【請求項１２】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムにおけるユーザ端末であって、
前記ユーザ端末は、前記基地局装置で決定された、サブフレーム番号よりも時間的に４サブフレーム以前に遡って一番近いチャネル状態情報参照リソースを用いてチャネル状態情報を求めるチャネル状態情報プロセスを判断する判断部と、前記判断に基づいてチャネル状態情報のフィードバック処理を行うフィードバック処理部と、を有することを特徴とするユーザ端末。
【請求項１３】
前記判断部は、チャネル状態情報プロセスインデックス、チャネル状態情報プロセスの優先度、コンポーネントキャリアインデックス、コンポーネントキャリアインデックスの優先度、レポーティングタイプ、及び／又はチャネル状態情報プロセスに関する情報の優先度に関連づけられたチャネル状態情報プロセスを前記基地局装置で決定されたチャネル状態情報プロセスと判断することを特徴とする請求項１２記載のユーザ端末。
【請求項１４】
チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムの無線通信方法であって、
前記基地局装置において、サブフレーム番号よりも時間的に４サブフレーム以前に遡って一番近いチャネル状態情報参照リソースを用いてチャネル状態情報を求めるチャネル状態情報プロセスを決定するステップと、
前記ユーザ端末において、前記基地局装置で決定されたチャネル状態情報プロセスを判断するステップと、前記判断に基づいてチャネル状態情報のフィードバック処理を行うステップと、を有することを特徴とする無線通信方法。
【発明の詳細な説明】
【技術分野】
【０００１】
本発明は、次世代移動通信システムにおける無線通信システム、基地局装置、ユーザ端末、及び無線通信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ：Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥシステムの後継のシステムも検討されている（例えば、ＬＴＥアドバンスト又はＬＴＥエンハンスメントと呼ぶこともある（以下、「ＬＴＥ−Ａ」という））。
【０００４】
ＬＴＥシステム（例えば、Rel.8LTE）の下りリンクにおいて、セルＩＤに関連づけられたＣＲＳ（Cell-specific  Reference  Signal）が定められている。このＣＲＳは、ユーザデータの復調に用いられる他、スケジューリングや適応制御のための下りリンクのチャネル品質（ＣＱＩ：Channel  Quality  Indicator）測定等に用いられる。一方、ＬＴＥの後継システム（例えば、Rel.10LTE）の下りリンクにおいては、ＣＳＩ（Channel  State  Information）測定専用にＣＳＩ−ＲＳ（Channel  State  Information-Reference  Signal）が検討されている。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【０００７】
そこで、３ＧＰＰ（3rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。これらのＣｏＭＰ送受信技術の適用により、特にセル端に位置するユーザ端末ＵＥのスループット特性の改善が期待される。
【０００８】
このように、ＬＴＥ−Ａシステムにおいては、一つの送信ポイントからユーザ端末に送信する送信形態に加え、複数の送信ポイントからユーザ端末に送信する送信形態がある。Rel.11LTEにおけるＣｏＭＰ送信を適用する場合、１つのユーザ端末に対して複数種類のＣＳＩ−ＲＳを設定することが可能であるため、ユーザ端末あたりのＣＳＩプロセスの数も複数になる可能性がある。一方で、ユーザ端末側では、複数種類のＣＳＩプロセスが設定された上で、複数種類のＣＳＩをフィードバックしようとすると、複数種類のＣＳＩを計算するための処理負荷が増大してしまうという問題がある。
【０００９】
このような課題を解決するために、複数種類のＣＳＩプロセス（信号推定リソースと干渉推定リソースの組み合わせ）が設定された場合には、サブフレーム番号Ｎで周期的又は非周期的なＣＳＩフィードバックを行うときに、処理負荷を軽減するために、既存よりも時間的に離れた無線リソースでＣＳＩを計算することが検討されている。しかしながら、このように既存よりも時間的に離れた無線リソースでＣＳＩを計算すると、スループット特性が劣化することが考えられる。
【００１０】
本発明はかかる点に鑑みてなされたものであり、複数種類のＣＳＩプロセスが設定された場合において、処理負荷を軽減すると共に、スループット特性の劣化を抑えることができる無線通信システム、基地局装置、ユーザ端末、及び無線通信方法を提供することを目的とする。
【課題を解決するための手段】
【００１１】
本発明の無線通信システムは、チャネル状態を測定するためのチャネル状態情報用参照信号を送信する複数の基地局装置と、前記複数の基地局装置と通信するユーザ端末とを備え、信号推定リソースと干渉推定リソースの組み合わせであるチャネル状態情報プロセスが複数設定される無線通信システムであって、前記基地局装置は、サブフレーム番号よりも時間的に４サブフレーム以前に遡って一番近いチャネル状態情報参照リソースを用いてチャネル状態情報を求めるチャネル状態情報プロセスを決定する決定部を有し、前記ユーザ端末は、前記基地局装置で決定されたチャネル状態情報プロセスを判断する判断部と、前記判断に基づいてチャネル状態情報のフィードバック処理を行うフィードバック処理部と、を有することを特徴とする。
【発明の効果】
【００１２】
本発明によれば、複数種類のＣＳＩプロセスが設定された場合において、処理負荷を軽減すると共に、スループット特性の劣化を抑えることができる。
【図面の簡単な説明】
【００１３】
【図１】ＣＳＩ参照リソースを説明するための図である。
【図２】複数の送信ポイントから送信されるＣＳＩ−ＲＳの一例を示す図である。
【図３】ＰＤＳＣＨミューティング技術を用いた干渉測定を説明するための図である。
【図４】無線通信システムのシステム構成の説明図である。
【図５】基地局装置の全体構成の説明図である。
【図６】ユーザ端末の全体構成の説明図である。
【図７】基地局装置の機能ブロック図である。
【図８】ユーザ端末の機能ブロック図である。
【発明を実施するための形態】
【００１４】
まず、ＬＴＥの後継システム（例えば、Rel.10LTE）で採用される参照信号の１つであるＣＳＩ−ＲＳについて説明する。
【００１５】
ＣＳＩ−ＲＳ（Channel  State  Information-Reference  Signal）は、チャネル状態としてのＣＱＩ（Channel  Quality  Indicator）、ＰＭＩ（Precoding  Matrix  Indicator）、ＲＩ（Rank  Indicator）等のチャネル品質情報（ＣＳＩ：Channel  State  Information）測定に用いられる参照信号である。ＣＳＩ−ＲＳは、全てのサブフレームに割り当てられるＣＲＳと異なり、所定の周期、例えば１０サブフレーム周期で割り当てられる。また、ＣＳＩ−ＲＳは、位置、系列および送信電力というパラメータで特定される。ＣＳＩ−ＲＳの位置には、サブフレームオフセット、周期、サブキャリア−シンボルオフセット（インデックス）が含まれる。
【００１６】
なお、ＣＳＩ−ＲＳとしては、ノンゼロパワーＣＳＩ−ＲＳとゼロパワーＣＳＩ−ＲＳとが定義されている。ノンゼロパワーＣＳＩ−ＲＳは、ＣＳＩ−ＲＳが割り当てられるリソースに送信パワーを分配し、ゼロパワーＣＳＩ−ＲＳは、割り当てられるリソースに送信パワーが分配されない（ＣＳＩ−ＲＳがミュートされる）。
【００１７】
ＣＳＩ−ＲＳは、ＬＴＥで規定される１サブフレームにおいて、ＰＤＣＣＨ（Physical  Downlink  Control  Channel）等の制御信号、ＰＤＳＣＨ（Physical  Downlink  Shared  Channel）等のユーザデータ、ＣＲＳ（Cell-specific  Reference  Signal）やＤＭ−ＲＳ（Demodulation-Reference  Signal）等の他の参照信号と重ならないように割り当てられる。１サブフレームは、周波数方向に連続する１２サブキャリアと、時間軸方向に連続する１４シンボル（１リソースブロック（ＲＢ:Resource  Block）ペア）とで構成される。また、ＰＡＰＲを抑制する観点から、ＣＳＩ-ＲＳを割当て可能なリソースは、時間軸方向に隣接する２つのリソースエレメント（ＲＥ：Resource  Element）がセットで割り当てられる。
【００１８】
このＣＳＩ−ＲＳの参照リソース（ＣＳＩを計算するための無線リソース）については、以下のように規定されている。
【００１９】
まず、基地局装置は、例えば、ヘテロジニアスネットワークでの干渉コーディネーションのため等に２種類のサブフレームセットをユーザ端末に設定することができる。例えば、基地局装置は、図１Ａに示すように、２種類のサブフレームセット（パターンＣCSI_0，ＣCSI_1を設定することができる。この場合において、ＰＵＣＣＨ（Physical  Uplink  Control  Channel）で送信される周期的なＣＳＩフィードバックのときは、サブフレームセット毎に独立に周期等が設定される。例えば、サブフレームＮでＣCSI_0のＣＳＩをフィードバックする場合、サブフレームｎから４サブフレーム以前に遡って一番近いＣCSI_0を含むサブフレームをＣＳＩ−ＲＳ参照リソースとしてとしてＣＳＩを算出する。図１Ａにおいては、サブフレームＮから６サブフレーム前に遡って一番近いＣCSI_0を含むサブフレームをＣＳＩ−ＲＳ参照リソースとしてとしてＣＳＩを算出している。
【００２０】
また、ＰＵＳＣＨ（Physical  Uplink  Shared  Channel）で送信される非周期的なＣＳＩフィードバックのときは、トリガされたサブフレームを含むＣＳＩ−ＲＳ参照リソースのＣＳＩを算出する。図１Ｂにおいては、トリガされたサブフレーム（サブフレームｎから４サブフレーム前）を含むＣＳＩ−ＲＳ参照リソースのＣＳＩを算出する。このため、基地局装置は、ＣＳＩが欲しいサブフレームセットのタイミングにあわせてトリガする必要がある。トリガされたサブフレームがいずれのサブフレームセットにも含まれない場合は、ＣＳＩをフィードバックしない（図１Ｂ）。
【００２１】
また、ＬＴＥ−Ａシステムにおいては、複数の送信ポイントからユーザ端末に送信する送信形態があるため、ＣＳＩ−ＲＳによってＣＳＩを算出する場合、干渉測定の精度が重要となる。
【００２２】
複数の送信ポイントからの送信形態としては、例えば、ＣｏＭＰ送信がある。下りリンクのＣｏＭＰ送信としては、Coordinated  Scheduling/Coordinated  Beamformingと、Joint  processingとがある。Coordinated  Scheduling/Coordinated  Beamformingは、１つのユーザ端末ＵＥに対して１つのセルからのみ共有データチャネルを送信する方法であり、他セルからの干渉や他セルへの干渉を考慮して周波数／空間領域における無線リソースの割り当てを行う。一方、Joint  processingは、プリコーディングを適用して複数のセルから同時に共有データチャネルを送信する方法であり、１つのユーザ端末ＵＥに対して複数のセルから共有データチャネルを送信するJoint  transmissionと、瞬時に１つのセルを選択し共有データチャネルを送信するDynamic  Point  Selection（ＤＰＳ）とがある。また、干渉となる送信ポイントに対して一定領域のデータ送信を停止するDynamic  Point  Blanking（ＤＰＢ）という送信形態もある。
【００２３】
ＣｏＭＰ送信では、複数のセルが協調して送受信の信号処理を行うため、１つのユーザ端末に対して複数種類のＣＳＩが必要となる。例えば、送信ポイント（ＴＰ：Transmission  Point)＃１とＴＰ＃２との間でＤＰＳを適用する場合には、ユーザ端末ＵＥとＴＰ＃１との間のＣＳＩと、ユーザ端末ＵＥとＴＰ＃２との間のＣＳＩの２種類の情報が必要となる。ここで、ＣＳＩとは、ＲＩ（Rank  Indicator）、subband  ＰＭＩ、wideband  ＰＭＩ、subband  ＣＱＩ、wideband  ＣＱＩ等に相当する。
【００２４】
Rel.11LTEにおけるＣｏＭＰでは、上記の点を考慮して、１つのユーザ端末に対して複数種類のＣＳＩ−ＲＳを設定することが可能となった。これにより、ユーザ端末は、設定された複数種類のＣＳＩ−ＲＳを用いて複数種類のＣＳＩフィードバックを行う。例えば、図２に示すように、ＴＰ＃１とＴＰ＃２との間でＤＰＳを適用する場合には、ＴＰ＃１から送信されているＣＳＩ−ＲＳ（CSI-RS  configuration  #1）とＴＰ＃２から送信されているＣＳＩ−ＲＳ（CSI-RS  configuration  #2）の２種類のＣＳＩ−ＲＳが１つのユーザ端末ＵＥに設定され、ユーザ端末ＵＥは、設定された２種類のＣＳＩ−ＲＳをそれぞれ用いて求めた、２種類のＣＳＩをフィードバックすることが考えられる。
【００２５】
また、Rel.11LTEにおけるＣｏＭＰ  ＵＥでは、ノンゼロパワーＣＳＩ−ＲＳのリソースエレメント（ＲＥ）を用いてＣＳＩの信号成分を計算し、ＰＤＳＣＨ（Physical  Downlink  Shared  Channel）ミューティング技術（例えば、ゼロパワーＣＳＩ−ＲＳのＲＥ）を用いてＣＳＩの干渉成分の計算を行うことが検討されている。ここで、ＣＳＩの信号成分を計算するための無線リソース（例えば、ノンゼロパワーＣＳＩ−ＲＳにより設定された無線リソース）を信号推定リソース（ＳＭＲ：Signal  Measurement  Resource）、干渉成分を計算するための無線リソース（例えば、ＰＤＳＣＨミューティング技術を使って設定された無線リソース）を干渉推定リソース（ＩＭＲ：Interference  Measurement  Resource）と呼ぶことにする。
【００２６】
ＰＤＳＣＨミューティング技術を使った干渉推定とは、図３に示すように、隣接する送信ポイントＴＰがＰＤＳＣＨ領域を無送信（ミューティング）にすることによって、ユーザ端末がＣＳＩを求める上での干渉推定を行う技術である。例えば、図３においては、ＴＰ＃１がゼロパワーCSI-RS  configuration  #1を設定してＰＤＳＣＨの一定領域を無送信にすることで、ユーザ端末が全体の受信信号電力からＴＰ＃１からの受信信号を除いた干渉信号電力を求めることが可能であり、ＴＰ＃１とＴＰ＃２が、ゼロパワーCSI-RS  configuration  #2を設定してＰＤＳＣＨの一定領域を双方で無送信にすることで、ユーザ端末が全体の受信信号電力からＴＰ＃１とＴＰ＃２からの受信信号を除いた干渉信号電力を求めることが可能となる。
【００２７】
Rel.11LTEにおけるＣｏＭＰ  ＵＥでは、上述したように、ＳＭＲでＣＳＩの信号成分を計算し、ＩＭＲでＣＳＩの干渉成分を計算する。基地局装置は、ＳＭＲ（例えば、ノンゼロパワーＣＳＩ−ＲＳ  ＲＥやＣＲＳ  ＲＥ）とＩＭＲ（例えば、ゼロパワーＣＳＩ−ＲＳ  ＲＥ）の組み合わせの情報を、例えばハイヤレイヤシグナリング（例えば、ＲＲＣシグナリングや報知情報）によりユーザ端末に通知することが検討されている。ここで、ＳＭＲとＩＭＲの組み合わせの情報を必要に応じてＣＳＩプロセスと呼ぶこととする。
【００２８】
ユーザ端末は、設定されたＣＳＩプロセスに基づいてＣＳＩの計算処理を行い、求めたＣＳＩをフィードバックする。Rel.11LTEにおけるＣｏＭＰ送信では、１つのユーザ端末に対して複数種類のＣＳＩ−ＲＳを設定することが可能であるため、ユーザ端末あたりのＣＳＩプロセスの数も複数になる可能性がある。一方で、ユーザ端末側では、複数種類のＣＳＩプロセスが設定された上で、複数種類のＣＳＩをフィードバックしようとすると、複数種類のＣＳＩを計算するための処理負荷が増大してしまうという問題がある。
【００２９】
このような課題を解決するために、複数種類のＣＳＩプロセスが設定された場合には、サブフレーム番号Ｎで周期的又は非周期的なＣＳＩフィードバックを行うときに、サブフレーム番号Ｎ−４以前のサブフレームに遡って一番近いＣＳＩ参照リソースを用いてＣＳＩの計算を行う代わりに、これよりも時間的に前のサブフレーム、例えば、サブフレーム番号Ｎ−６以前のサブフレームに遡って一番近いＣＳＩ参照リソースを用いてＣＳＩの計算を行うことが提案されている。
【００３０】
上記のように、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う場合、データの割り当てを行う無線リソースに比較して既存よりも時間的に離れた無線リソースでＣＳＩの計算を行うことになるので、スループット特性が劣化することが考えられる。例えば、サブフレーム番号Ｎ−６以前のサブフレームを用いてサービングＴＰへのＣＳＩの計算を行ってしまうと、既存よりも２サブフレーム以前に遡ったＣＳＩ参照リソースを用いてＣＳＩの計算を行うことになるので、サービングＴＰからデータ送信を行った場合のスループット特性が既存の場合よりも劣化してしまう。
【００３１】
本発明者らは、複数種類のＣＳＩプロセスを用いる場合において、スループット特性の劣化を望まないＣＳＩについては、サブフレーム番号よりも時間的に４サブフレーム以前（サブフレーム番号Ｎ−４以前）のサブフレームに遡って一番近いＣＳＩ参照リソースを用いてＣＳＩの計算し、スループット特性の劣化を許容できるＣＳＩについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算することにより、複数種類のＣＳＩを計算するための処理負荷を軽減すると共に、特定のＣＳＩプロセスについてスループット特性の劣化を防止できることを見出し本発明をするに至った。
【００３２】
本発明においては、複数種類のＣＳＩプロセスが設定され、サブフレーム番号Ｎ−４以前のサブフレームよりも時間的に前のサブフレーム（例えば、サブフレーム番号Ｎ−６以前のサブフレームに遡って一番近いＣＳＩ参照リソースを用いてＣＳＩの計算を行う場合、予め決められたＣＳＩプロセスに対しては、サブフレーム番号Ｎ−４以前に遡って一番近いＣＳＩ参照リソースを用いてチャネル品質情報の計算を行う（既存と同一）。すなわち、予め決められたＣＳＩプロセスに対しては、ＣＳＩ参照リソースとしては、サブフレーム番号Ｎ−４以前に遡って一番近いＣＳＩ参照リソースを用いる（既存と同一）。
【００３３】
上記予め決められたＣＳＩプロセスは、以下の２つの方法で基地局装置からユーザ端末に通知される。
【００３４】
（第１通知方法）インプリシットシグナリング
サブフレーム番号Ｎ−４以前に遡って一番近いＣＳＩ参照リソースを用いてＣＳＩの計算を行うＣＳＩプロセスは、予め決められたルールに従ってユーザ端末が判断する。例えば、ＣＳＩプロセスインデックス（ＣＳＩプロセス毎に割り振られるインデックス）が最も若い番号に対応するＣＳＩプロセスについては、サブフレーム番号Ｎ−４以前に遡って一番近い（時間的に前の）ＣＳＩ参照リソースを用いてＣＳＩの計算を行う。このように、予め決められたＣＳＩプロセスを既存の情報に関連付ける。これにより、シグナリングを省略して、予め決められたＣＳＩプロセスを既存の情報を基地局装置からユーザ端末に通知することができる。
【００３５】
上記予め決められたルールは、下記ルール（１）〜ルール（６）のいずれか又は組み合わせによって決定される。
【００３６】
＜ルール（１）＞
ＣＳＩプロセスインデックスが最も（又は予め決められた複数個の）若い番号に対応するＣＳＩプロセスについては、サブフレーム番号Ｎ−４以前に遡って一番近いＣＳＩ参照リソースを用いてＣＳＩの計算を行い、それ以外の番号のＣＳＩプロセスインデックスに対応するＣＳＩプロセスについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。例えば、ＣＳＩプロセスインデックスが最も若い番号に対応するＣＳＩプロセスをサービングＴＰからのシングルＴＰ送信に対応するＣＳＩプロセスとすることにより、シングルＴＰ送信のスループット特性を既存と同一にすることが可能となる。
【００３７】
＜ルール（２）＞
ＣＳＩプロセス毎（又は複数ＣＳＩプロセス毎）の優先度付けを行い、決められた優先度に基づいて、最も（又は予め決められた複数個の）優先度の高いＣＳＩプロセスについては、サブフレーム番号Ｎ−４以前に遡って一番近いＣＳＩ参照リソースを用いてＣＳＩの計算を行い、それ以外のＣＳＩプロセスについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。例えば、１つのユーザ端末に設定するＣＳＩプロセスが１種類の場合のＣＳＩプロセス（例えば、プライマリＣＳＩプロセスと定義する）と１つのユーザ端末に設定するＣＳＩプロセスが２種類以上の場合のＣＳＩプロセス群（例えば、セカンダリＣＳＩプロセスと定義する）に分類して優先度付けを行い、プライマリＣＳＩプロセスを優先させると決めておいたとすると、ユーザ端末は、プライマリＣＳＩプロセスに対応するＣＳＩプロセスについては、サブフレーム番号Ｎ−４以前に遡って一番近いＣＳＩ参照リソースを用いてＣＳＩの計算を行い、セカンダリＣＳＩプロセスに対応するＣＳＩプロセスについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。
【００３８】
＜ルール（３）＞
ＣＣ（コンポーネントキャリア）インデックス（コンポーネントキャリア毎に割り振られたインデックス）が最も（又は予め決められた複数個の）若い番号に対応するＣＳＩプロセスについては、サブフレーム番号Ｎ−４以前に遡って一番近いＣＳＩ参照リソースを用いてＣＳＩの計算を行い、それ以外の番号のＣＣインデックスに対応するＣＳＩプロセスについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。例えば、ＣＣインデックスが最も若い番号に対応するＣＳＩプロセスをＰＣＣ（Primary  Component  Carrier）に対応するＣＳＩプロセスとすることにより、ＰＣＣにおけるスループット特性を既存と同一にすることが可能となる。
【００３９】
＜ルール（４）＞
ＣＣインデックス毎（又は複数ＣＣインデックス毎）の優先度付けを行い、決められた優先度に基づいて、最も（又は予め決められた複数個の）優先度の高いＣＳＩプロセスについては、サブフレーム番号Ｎ−４以前に遡って一番近いＣＳＩ参照リソースを用いてＣＳＩの計算を行う。例えば、ＰＣＣをＳＣＣ（Secondary  Component  Carrier）よりも優先度を高くしておくことにより、ユーザ端末はＰＣＣに対応するＣＳＩプロセスについては、サブフレーム番号Ｎ−４以前に遡って一番近いＣＳＩ参照リソースを用いてＣＳＩの計算を行い、ＳＣＣ群に対応するＣＳＩプロセスについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。
【００４０】
＜ルール（５）＞
レポーティングタイプの中で最も（又は予め決められた複数個の）優先されるレポーティングタイプに対応するＣＳＩプロセスについては、サブフレーム番号Ｎ−４以前に遡って一番近いＣＳＩ参照リソースを用いてＣＳＩの計算を行い、それ以外のレポーティングタイプに対応するＣＳＩプロセスについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。例えば、ＴＳ３６．２１３の７．２．２章（Periodic  CSI  Reporting  using  PUCCH）に記載されているレポーティングタイプのdropping  ruleに基づいて優先度付けを行った上で、上位に優先されるレポーティングタイプに対応するＣＳＩプロセスについては、サブフレーム番号Ｎ−４以前に遡って一番近いＣＳＩ参照リソースを用いてＣＳＩの計算を行い、それ以外のレポーティングタイプに対応するＣＳＩプロセスについては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。
【００４１】
＜ルール（６）＞
ＣＳＩプロセスの中でＣＳＩプロセスの情報に基づいた優先度付けを行い、最も（又は予め決められた複数個の）優先される情報に対応するＣＳＩプロセスについては、サブフレーム番号Ｎ−４以前に遡って一番近いＣＳＩ参照リソースを用いてＣＳＩの計算を行う。
（ａ）例えば、ＳＭＲをＩＭＲよりも優先度を高くする優先度付け、又は、
（ｂ）例えば、信号推定や干渉推定を行う対象のＲＳに基づいて、ＣＲＳをＣＳＩ−ＲＳ／ゼロパワーＣＳＩ−ＲＳよりも優先度を高くする等の優先度付け、が考えられる。
【００４２】
上記（ａ）の場合、ＳＭＲに対しては、サブフレーム番号Ｎ−４以前に遡って一番近いＣＳＩ参照リソースを用いてＣＳＩの計算を行い、ＩＭＲに対しては、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行う。
【００４３】
上記（ｂ）の場合、例えば、ＳＭＲとして、ノンゼロパワーＣＳＩ−ＲＳ  ＲＥに比較してＣＲＳ  ＲＥを優先させたり、ＩＭＲとして、例えば、ゼロパワーＣＳＩ−ＲＳ  ＲＥが設定された場合に比較して、ゼロパワーＣＳＩ−ＲＳ  ＲＥが設定されていない（設定（configure）されていないとは、（既存の）例えば、ＣＲＳベースの干渉推定を行うことを意味する）場合を優先させることが想定される。この場合、例えば、ユーザ端末に対して、以下の２種類のＣＳＩプロセスが設定された場合、ＣＳＩプロセス＃２をＣＳＩプロセス＃１に比較して優先し、ＣＳＩプロセス＃２に対応するＣＳＩはサブフレーム番号Ｎ−４以前に遡って一番近いＣＳＩ参照リソースを用いてＣＳＩの計算を行う一方で、ＣＳＩプロセス＃１に対応するＣＳＩはサブフレーム番号Ｎ−６以前に遡って一番近いＣＳＩ参照リソースを用いてＣＳＩの計算を行う。
ＣＳＩプロセス＃１：ＳＭＲとしてＣＳＩ−ＲＳ  ＲＥを指定し、ＩＭＲとしてゼロパワーＣＳＩ−ＲＳ  ＲＥを指定する
ＣＳＩプロセス＃２：ＳＭＲとしてＣＲＳ  ＲＥを指定し、ＩＭＲとしてゼロパワーＣＳＩ−ＲＳ  ＲＥが設定されていない（（既存の）例えば、ＣＲＳベースの干渉推定を行う)を指定する
【００４４】
（第２通知方法）エクスプリシットシグナリング
サブフレーム番号Ｎ−４以前に遡って一番近いＣＳＩ参照リソースを用いてＣＳＩの計算を行うＣＳＩプロセスを、ハイヤレイヤシグナリング（ＲＲＣシグナリング、報知信号等）やダイナミックシグナリング（例えば、ＰＤＣＣＨを用いたシグナリングや、ＰＤＳＣＨ領域に多重を行うｅＰＤＣＣＨ(Enhanced  ＰＤＣＣＨ)を用いたシグナリング）を用いてシグナリングする。すなわち、基地局装置で決定したＣＳＩプロセスをユーザ端末に通知する。
【００４５】
エクスプリシットシグナリングのシグナリング方法は、下記のシグナリング（１）〜シグナリング（３）のいずれか又は組み合わせによって決定される。
【００４６】
＜シグナリング（１）＞
サブフレーム番号Ｎ−４以前に遡って一番近いＣＳＩ参照リソースを用いてＣＳＩの計算を行うかどうかを、ＣＳＩプロセス単位（又は複数ＣＳＩプロセス単位）でシグナリングする。ユーザ端末は、通知されたＣＳＩプロセスに対して、サブフレーム番号Ｎ−４以前に遡って一番近いＣＳＩ参照リソースを用いてＣＳＩの計算を行う。
【００４７】
＜シグナリング（２）＞
サブフレーム番号Ｎ−４以前に遡って一番近いＣＳＩ参照リソースを用いてＣＳＩの計算を行うかどうかをＣＣインデックス単位（又は複数ＣＣインデックス単位）でシグナリングする。ユーザ端末は、通知されたＣＣインデックスに対して、サブフレーム番号Ｎ−４以前に遡って一番近いＣＳＩ参照リソースを用いてＣＳＩの計算を行う。
【００４８】
＜シグナリング（３）＞
サブフレーム番号Ｎ−４以前に遡って一番近いＣＳＩ参照リソースを用いてＣＳＩの計算を行うかどうかをレポーティングタイプ単位（又は複数レポーティングタイプ単位）でシグナリングする。ユーザ端末は、通知されたレポーティングタイプに対して、サブフレーム番号Ｎ−４以前に遡って一番近いＣＳＩ参照リソースを用いてＣＳＩの計算を行う。
【００４９】
本発明に係る無線通信システムにおいて、基地局装置とユーザ端末との間で種々の情報を通知する必要がある。
【００５０】
ユーザ端末は、自装置が複数種類のＣＳＩプロセスを受信可能であるかどうか、また、幾つのＣＳＩプロセス数がサブフレーム番号Ｎ−４以前に遡って一番近いＣＳＩ参照リソースを用いてＣＳＩの計算を行うことが可能かどうかの情報（能力情報）を基地局装置に通知しても良い。例えば、複数種類のＣＳＩプロセスを受信可能であるユーザ端末であって、４つ以内のＣＳＩプロセス数であれば、サブフレーム番号Ｎ−４以前に遡って一番近いＣＳＩ参照リソースを用いてＣＳＩの計算を行うことが可能であることを基地局装置に通知する。
【００５１】
この場合、基地局装置は、ユーザ端末から通知された情報に基づいて、ユーザ端末に対して複数種類のＣＳＩプロセスの設定を行うかどうかの判断を行い、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを用いてＣＳＩの計算を行うときは、予め決められたＣＳＩに対してサブフレーム番号Ｎ−４以前に遡って一番近いＣＳＩ参照リソースを用いてＣＳＩの計算を行うかどうかの判断を行っても良い。すなわち、基地局装置は、ユーザ端末から通知された能力情報に基づいて、サブフレーム番号Ｎ−４以前に遡って一番近いＣＳＩ参照リソースを用いてＣＳＩを求めるＣＳＩプロセスを決定する。
【００５２】
また、基地局装置は、ユーザ端末から通知された情報に基づいて、上記インプリシットシグナリング又はエクスプリシットシグナリングにおける優先度付けを決定しても良く、幾つのＣＳＩプロセスに対応するＣＳＩについて、サブフレーム番号Ｎ−４以前に遡って一番近いＣＳＩ参照リソースを用いてＣＳＩの計算を行わせるかを決定しても良い。例えば、４つ以内のＣＳＩプロセス数であればサブフレーム番号Ｎ−４以前に遡って一番近いＣＳＩ参照リソースを用いてＣＳＩの計算を行うことが可能であることがユーザ端末から基地局装置に通知された場合には、基地局装置は、エクスプリシットシグナリングを適用するときに、４つ以内のＣＳＩプロセスに対してサブフレーム番号Ｎ−４以前に遡って一番近いＣＳＩ参照リソースを用いてＣＳＩの計算を行うようにハイヤレイヤでシグナリングする。
【００５３】
（無線通信システム）
ここで、本実施の形態に係る無線通信システムについて詳細に説明する。この無線通信システムにおいては、ＣＳＩを測定するためのＣＳＩ−ＲＳを送信する複数の基地局装置と、複数の基地局装置と通信するユーザ端末とを備え、ＳＭＲとＩＭＲの組み合わせであるＣＳＩプロセスが複数設定される。基地局装置は、サブフレーム番号よりも時間的に４サブフレーム以前に遡って一番近いＣＳＩ参照リソースを用いてＣＳＩを求めるＣＳＩプロセスを決定し、ユーザ端末は、基地局装置で決定されたＣＳＩプロセスを判断し、この判断に基づいてＣＳＩのフィードバック処理を行う。
【００５４】
図４は、本実の形態に係る無線通信システムのシステム構成の説明図である。なお、図４に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ-Ａｄｖａｎｃｅｄと呼ばれても良いし、４Ｇと呼ばれても良い。
【００５５】
図４に示すように、無線通信システム１は、各送信ポイントの基地局装置２０Ａ、２０Ｂと、この基地局装置２０Ａ、２０Ｂと通信するユーザ端末１０とを含んで構成されている。基地局装置２０Ａ、２０Ｂは、上位局装置３０と接続され、この上位局装置３０は、コアネットワーク４０と接続される。また、基地局装置２０Ａ、２０Ｂは、有線接続又は無線接続により相互に接続されている。ユーザ端末１０は、送信ポイントである基地局装置２０Ａ、２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。
【００５６】
ユーザ端末１０は、既存端末（Rel.10LTE）及びサポート端末（例えば、Rel.11LTE）を含むが、以下においては、特段の断りがない限りユーザ端末として説明を進める。また、説明の便宜上、基地局装置２０Ａ、２０Ｂと無線通信するのはユーザ端末１０であるものとして説明する。
【００５７】
無線通信システム１においては、無線アクセス方式として、下りリンクについてはＯＦＤＭＡ（直交周波数分割多元接続）が、上りリンクについてはＳＣ−ＦＤＭＡ（シングルキャリア-周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５８】
ここで、通信チャネルについて説明する。下りリンクの通信チャネルは、ユーザ端末１０で共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報などが伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００５９】
上りリンクの通信チャネルは、各ユーザ端末で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクのチャネル状態情報（ＣＳＩ（ＣＱＩなどを含む））、ＡＣＫ／ＮＡＣＫなどが伝送される。
【００６０】
図５を参照しながら、本実施の形態に係る基地局装置の全体構成について説明する。なお、基地局装置２０Ａ、２０Ｂは、同様な構成であるため、基地局装置２０として説明する。基地局装置２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより基地局装置２０からユーザ端末に送信される送信データは、上位局装置３０から伝送路インターフェース２０６を介してベースバンド信号処理部２０４に入力される。
【００６１】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われる。また、下りリンク制御チャネルである物理下りリンク制御チャネルの信号に関しても、チャネル符号化や逆高速フーリエ変換などの送信処理が行われる。
【００６２】
また、ベースバンド信号処理部２０４は、報知チャネルにより、同一送信ポイントに接続するユーザ端末１０に対して、各ユーザ端末１０が基地局装置２０との無線通信するための制御情報を通知する。当該送信ポイントにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００６３】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。
【００６４】
一方、上りリンクによりユーザ端末１０から基地局装置２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００６５】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００６６】
呼処理部２０５は、通信チャネルの設定や解放などの呼処理や、基地局装置２０の状態管理や、無線リソースの管理を行う。
【００６７】
次に、図６を参照しながら、本実施の形態に係るユーザ端末の全体構成について説明する。ユーザ端末１０は、送受信アンテナ１０１と、アンプ部１０２と、送受信部（受信部）１０３と、ベースバンド信号処理部１０４と、アプリケーション部１０５とを備えている。
【００６８】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理などがなされる。この下りリンクのデータの内、下りリンクの送信データは、アプリケーション部１０５に転送される。アプリケーション部１０５は、物理レイヤやＭＡＣレイヤより上位のレイヤに関する処理などを行う。また、下りリンクのデータの内、報知情報も、アプリケーション部１０５に転送される。
【００６９】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【００７０】
図７を参照して、ＣＳＩプロセスの決定処理に対応した基地局装置の機能ブロックについて説明する。なお、図７の各機能ブロックは、主に図５に示すベースバンド処理部に関するものである。また、図７の機能ブロック図は、本発明を説明するために簡略化したものであり、ベースバンド処理部において通常備える構成を備えるものとする。
【００７１】
基地局装置２０は、送信側において、測定ＲＥ決定部４０１、上位制御情報生成部４０２と、下り送信データ生成部４０３と、下り制御情報生成部４０４と、ＣＳＩ−ＲＳ生成部４０５と、下り送信データ符号化・変調部４０６と、下り制御情報符号化・変調部４０７と、ＣＳＩプロセス決定部４１１とを備えている。また、基地局装置２０は、下りチャネル多重部４０８と、ＩＦＦＴ部４０９と、ＣＰ付加部４１０とを備えている。
【００７２】
測定ＲＥ決定部４０１は、希望信号測定のための参照信号（ＣＳＩ−ＲＳ）を割り当てるリソース（ＳＭＲ）及び干渉測定のための参照信号を割当てるリソース（ＩＭＲ）を決定する。また、測定ＲＥ決定部４０１は、希望信号測定のための参照信号を割り当てるリソース（測定ＲＥ）及び干渉信号推定のためのリソース（測定ＲＥ）の組み合わせを決定する。
【００７３】
干渉測定用ＣＳＩ−ＲＳ、希望信号測定用ＣＳＩ−ＲＳの割当てに関する情報（ＣＳＩ−ＲＳパターン情報）は、ユーザ端末に準静的にシグナリングする場合には、ハイヤレイヤシグナリング（例えばＲＲＣシグナリング）するために上位制御情報生成部４０２に送られる。また、この割当てに関する情報は、ユーザ端末に動的にシグナリングする場合には、下り制御情報に含めるために下り制御情報生成部４０４に送られる。また、この割当てに関する情報は、ＣＳＩ−ＲＳを生成するためにＣＳＩ−ＲＳ生成部４０５に送られると共に、下り送信データをゼロパワー（ミューティング）にするために下り送信データ生成部４０３に送られる。
【００７４】
上位制御情報生成部４０２は、ハイヤレイヤシグナリング（例えば、ＲＲＣシグナリング、報知信号）により送受信される上位制御情報を生成し、生成した上位制御情報を下り送信データ符号化・変調部４０６に出力する。例えば、上位制御情報生成部４０２は、測定ＲＥ決定部４０１から出力された情報を含む上位制御情報（ＣＳＩ−ＲＳの送信パラメータに関する情報）を生成する。また、上位制御情報生成部４０２は、ＣＳＩプロセス決定部４１１で決定されたＣＳＩプロセスをエクスプリシットでシグナリングする場合に、ＣＳＩプロセスを含む上位制御情報を生成する。
【００７５】
下り送信データ生成部４０３は、下りリンクの送信データを生成し、その下り送信データを下り送信データ符号化・変調部４０６に出力する。下り送信データ生成部４０３は、測定ＲＥ決定部４０１から出力された割当て情報にしたがって、ゼロパワーＣＳＩ−ＲＳを配置する（ミューティングする）。
【００７６】
下り制御情報生成部４０４は、下りリンクの制御情報を生成し、その下り制御情報を下り制御情報符号化・変調部４０７に出力する。下り送信データ符号化・変調部４０６は、下り送信データ及び上位制御情報に対してチャネル符号化及びデータ変調を行い、下りチャネル多重部４０８に出力する。下り制御情報符号化・変調部４０７は、下り制御情報に対してチャネル符号化及びデータ変調を行い、下りチャネル多重部４０８に出力する。
【００７７】
ＣＳＩプロセス決定部４１１は、サブフレーム番号よりも時間的に４サブフレーム以前に遡って一番近いＣＳＩ参照リソースを用いてＣＳＩを求めるＣＳＩプロセスを決定する。ＣＳＩプロセス決定部４１１は、例えば、上記ルール（１）〜ルール（６）に基づいてＣＳＩプロセスを決定する。ＣＳＩプロセス決定部４１１は、決定したＣＳＩプロセスをエクスプリシットでユーザ端末に通知する場合には、決定したＣＳＩプロセスの情報を上位制御情報生成部４０２や下り制御情報生成部４０４に出力する。決定したＣＳＩプロセスをエクスプリシットでユーザ端末に通知する場合、ＣＳＩプロセス単位、ＣＣ単位、及び／又はレポーティングタイプ単位で通知する。
【００７８】
ＣＳＩプロセス決定部４１１で決定したＣＳＩプロセスをインプリシットでユーザ端末に通知する場合には、例えば上記ルール（１）〜ルール（６）で規定するパラメータ（ＣＳＩプロセスインデックス、ＣＳＩプロセスの優先度、ＣＣインデックス、ＣＣインデックスの優先度、レポーティングタイプ、及び／又はＣＳＩプロセスに関する情報の優先度）とＣＳＩプロセスとが関連づけられているので、これらのパラメータが通知されることにより、ＣＳＩプロセスが通知されたことになる。
【００７９】
ＣＳＩ−ＲＳ生成部４０５は、測定ＲＥ決定部４０１から出力された割当て情報にしたがって希望信号測定用ＣＳＩ−ＲＳ、干渉測定用ＣＳＩ−ＲＳを生成し、これらのＣＳＩ−ＲＳを下りチャネル多重部４０８に出力する。また、ＣＳＩ−ＲＳ生成部４０５は、ＣＳＩプロセス決定部４１１から出力されたＣＳＩプロセスに基づいて、ＣＳＩ参照リソースを設定する。例えば、決定されたＣＳＩプロセスに基づいて、サブフレーム番号Ｎ−４以前に遡って一番近いＣＳＩ参照リソースを設定したり、サブフレーム番号Ｎ−４以前のサブフレームよりも時間的に前のサブフレーム（例えば、サブフレーム番号Ｎ−６以前のサブフレーム）に遡って一番近いＣＳＩ参照リソースを設定する。
【００８０】
下りチャネル多重部４０８は、下り制御情報、ＣＳＩ−ＲＳ、上位制御情報及び下り送信データを合成して送信信号を生成する。下りチャネル多重部４０８は、生成した送信信号をＩＦＦＴ部４０９に出力する。ＩＦＦＴ部４０９は、送信信号を逆高速フーリエ変換（Inverse  Fast  Fourier  Transform）し、周波数領域の信号から時間領域の信号に変換する。ＩＦＦＴ後の送信信号をＣＰ付加部４１０に出力する。ＣＰ付加部４１０は、ＩＦＦＴ後の送信信号にＣＰ（Cyclic  Prefix）を付加して、ＣＰ付加後の送信信号を図５に示すアンプ部２０２に出力する。
【００８１】
図８を参照して、本実施の形態に係るユーザ端末の機能ブロックについて説明する。なお、図８の各機能ブロックは、主に図６に示すベースバンド処理部１０４に関するものである。また、図８に示す機能ブロックは、本発明を説明するために簡略化したものであり、ベースバンド処理部において通常備える構成は備えるものとする。
【００８２】
ユーザ端末１０は、受信側において、ＣＰ除去部３０１と、ＦＦＴ部３０２と、下りチャネル分離部３０３と、下り制御情報受信部３０４と、下り送信データ受信部３０５と、干渉信号推定部３０６と、チャネル推定部３０７と、ＣＳＩフィードバック処理部３０８と、判断部３０９とを備えている。
【００８３】
基地局装置２０から送出された送信信号は、図６に示す送受信アンテナ１０１により受信され、ＣＰ除去部３０１に出力される。ＣＰ除去部３０１は、受信信号からＣＰを除去し、ＦＦＴ部３０２に出力する。ＦＦＴ部３０２は、ＣＰ除去後の信号を高速フーリエ変換（ＦＦＴ：Fast  Fourier  Transform）し、時間領域の信号から周波数領域の信号に変換する。ＦＦＴ部３０２は、周波数領域の信号に変換された信号を下りチャネル分離部３０３に出力する。
【００８４】
下りチャネル分離部３０３は、下りチャネル信号を、下り制御情報、下り送信データ、ＣＳＩ−ＲＳに分離する。下りチャネル分離部３０３は、下り制御情報を下り制御情報受信部３０４に出力し、下り送信データ及び上位制御情報を下り送信データ受信部３０５に出力し、干渉測定用ＣＳＩ−ＲＳを干渉信号推定部３０６に出力し、希望信号測定用ＣＳＩ−ＲＳをチャネル推定部３０７に出力する。
【００８５】
下り制御情報受信部３０４は、下り制御情報を復調し、復調された下り制御情報を下り送信データ受信部３０５に出力する。下り送信データ受信部３０５は、復調された下り制御情報を用いて下り送信データを復調する。このとき、下り送信データ受信部３０５は、上位制御情報に含まれるリソース情報に基づいて希望信号測定用ＲＥ（ＳＭＲ）及び干渉測定用ＲＥ（ＩＭＲ）を特定する。下り送信データ受信部３０５は、希望信号測定ＲＥ及び干渉測定用ＲＥを除いて、ユーザデータを復調する。また、下り送信データ受信部３０５は、下り送信データに含まれる上位制御情報を判断部３０９、干渉信号推定部３０６、チャネル推定部３０７に出力する。
【００８６】
判断部３０９は、基地局装置で決定されたＣＳＩプロセスを判断する。判断部３０９は、ＣＳＩプロセスがインプリシットで通知される場合には、例えば、ＣＳＩプロセスインデックス、ＣＳＩプロセスの優先度、ＣＣインデックス、ＣＣインデックスの優先度、レポーティングタイプ、及び／又はＣＳＩプロセスに関する情報の優先度に関連づけられたＣＳＩプロセスを基地局装置で決定されたＣＳＩプロセスと判断する。判断部３０９は、基地局装置で決定されたＣＳＩプロセスの情報をＣＳＩフィードバック処理部３０８に出力する。
【００８７】
干渉信号推定部３０６は、上位制御情報（又は下り制御情報）に含まれる送信パラメータ等の情報に基づいて、干渉測定用ＲＥで干渉信号を推定する。干渉信号推定部３０６は、干渉信号の推定を行い、全てのリソースブロックで測定結果を平均化することができる。干渉信号推定部３０６は、平均化された干渉信号の推定結果をＣＳＩフィードバック処理部３０８に通知する。
【００８８】
チャネル推定部３０７は、上位制御情報（又は下り制御情報）に含まれる送信パラメータ等の情報に基づいて希望信号測定用ＲＥ（ＣＳＩ−ＲＳリソース）を特定し、希望信号測定用ＲＥで希望信号を推定する。チャネル推定部３０７は、チャネル推定値をＣＳＩフィードバック処理部３０８に通知する。
【００８９】
ＣＳＩフィードバック処理部３０８は、干渉信号推定部３０６から通知される干渉推定結果、及びチャネル推定部３０７から通知されるチャネル推定結果、フィードバックモード、基地局装置で決定したＣＳＩプロセスに基づいてＣＳＩを算出する。なお、フィードバックモードは、Ｗｉｄｅｂａｎｄ  ＣＱＩ、Ｓｕｂｂａｎｄ  ＣＱＩ、ｂｅｓｔ-Ｍ  ａｖｅｒａｇｅのいずれが設定されてもよい。ＣＳＩフィードバック処理部３０８で算出されたＣＳＩは、フィードバック情報として基地局装置２０に通知される。
【００９０】
上記構成を有する無線通信システムにおいては、ＣＳＩプロセスが複数設定される状況で、基地局装置において、サブフレーム番号よりも時間的に４サブフレーム以前に遡って一番近いＣＳＩ参照リソースを用いてＣＳＩを求めるＣＳＩプロセスを決定し、ユーザ端末において、基地局装置で決定されたＣＳＩプロセスを判断し、この判断に基づいてＣＳＩのフィードバック処理を行う。これにより、複数種類のＣＳＩを計算するための処理負荷を軽減すると共に、特定のＣＳＩプロセスについてスループット特性の劣化を防止することができる。
【００９１】
本発明は上記実施の形態に限定されず、様々変更して実施することが可能である。例えば、本発明の範囲を逸脱しない限りにおいて、上記説明におけるＣＳＩ−ＲＳの設定位置、ミューティング（ゼロパワー）の設定位置、処理部の数、処理手順、ＣＳＩ−ＲＳの数、ミューティングの数、送信ポイント数については適宜変更して実施することが可能である。また、上記説明においては、複数の送信ポイントが複数の基地局装置である場合について説明しているが、送信ポイントはアンテナであっても良い。その他、本発明の範囲を逸脱しないで適宜変更して実施することが可能である。
【符号の説明】
【００９２】
１  無線通信システム
１０  ユーザ端末
２０  基地局装置
３０  上位局装置
４０  コアネットワーク
１０３  送受信部（受信部）
１０４  ベースバンド信号処理部
２０３  送受信部（通知部）
２０４  ベースバンド信号処理部
３０６  干渉信号推定部
３０７  チャネル推定部
３０８  ＣＳＩフィードバック処理部
３０９  判断部
４０１  測定ＲＥ決定部
４０２  上位制御情報生成部
４０５  ＣＳＩ−ＲＳ生成部
４１１  ＣＳＩプロセス決定部
【図１】
2014075676.tif 000003
【図２】
2014075676.tif 000004
【図３】
2014075676.tif 000005
【図４】
2014075676.tif 000006
【図５】
2014075676.tif 000007
【図６】
2014075676.tif 000008
【図７】
2014075676.tif 000009
【図８】
2014075676.tif 000010